(57)【要約】  【課題】  ディスクトレイ突出入用の開口を開閉するためのドアを付勢する捩りコイルバネによって重大な故障が誘発されることのない光ディスク装置を提供する。  【解決手段】  ドアは、筐体を構成するフロントパネル１に形成された開口２を閉ざすドア板３と、ドア板３の左右の各端部から筐体内へ伸び出し左右方向で同軸上に軸支される左側、右側のアーム４、５とより成る。左側、右側のアーム４、５は、パネル１から突出する左側、右側の突片部６、７により互いの内側から軸支される。左側の突片部６からは内向きにバネ保持軸１３が突出し、保持軸１３には、一端部１２ｂがパネル１に支持されつつ他端部１２ｃが左側のアーム４に支持されてドア板３が開口２を外部から閉ざす方向に付勢する捩りコイルバネ１２のコイル部１２ａが挿入される。パネル１には、左側のアーム４による支持を外れて捩り戻るバネ１２の他端部１２ｃを受止める切欠突片部１６が形成されている。【選択図】      図６
2006351072.tif 000002
【特許請求の範囲】
【請求項１】
正面に開口を有する筐体と、この筐体内でスライド可能に支持されスライドして前記開
口より突出入するディスクトレイと、前記筐体に対し左右方向の支軸を中心に回動して前
記開口を開閉するドアと、を備え、
前記ドアは、前記開口を外部から閉ざすドア板と、このドア板の左右の各端部における
内面からそれぞれ前記筐体内へ伸び出し、各々の先端部で前記筐体に対し互いに同軸上に
軸支される左右に一対の第１、第２のアームと、より成る光ディスク装置において、
前記筐体には、前記第１、第２のアームの先端部を左右方向での互いの内側から軸支す
るための左右に一対の第１、第２の突片部が形成されていて、
前記第１の突片部には、左右方向での外向きに突出する第１の支軸、及びこの第１の支
軸と同軸上で左右方向での内向きに突出するバネ保持軸が設けられ、前記第１の支軸に、
前記第１のアームの先端部を左右方向に貫通する第１の軸受け穴が回動可能に嵌り合い、
前記第２の突片部には、前記第１の支軸と同軸上で左右方向での外向きに突出する第２
の支軸が設けられ、この第２の支軸に、前記第２のアームの先端部を左右方向に貫通する
第２の軸受け穴が回動可能に嵌り合っており、
前記第１の支軸と前記第１の軸受け穴との嵌り合う位置が、前記第１のアームの根元の
位置と左右方向で一致し、
前記第２の支軸と前記第２の軸受け穴との嵌り合う位置が、前記第２のアームの根元の
位置と左右方向で一致しており、
前記バネ保持軸には、一端部が前記筐体に支持されつつ他端部が前記第１のアームに支
持されて前記ドア板が前記開口を外部から閉ざす方向に付勢する捩りコイルバネのコイル
部が挿入されており、
前記筐体には、前記捩りコイルバネの前記他端部が前記第１のアームによる支持を外れ
たときに、前記バネ保持軸を中心として捩り戻る前記捩りコイルバネの前記他端部を受止
める受止め部が形成されていることを特徴とする光ディスク装置。
【請求項２】
正面に開口を有する筐体と、この筐体内でスライド可能に支持されスライドして前記開
口より突出入するディスクトレイと、前記筐体に対し左右方向の支軸を中心に回動して前
記開口を開閉するドアと、を備え、
前記ドアは、前記開口を外部から閉ざすドア板と、このドア板の左右の各端部における
内面からそれぞれ前記筐体内へ伸び出し、各々の先端部で前記筐体に対し互いに同軸上に
軸支される左右に一対の第１、第２のアームと、より成る光ディスク装置において、
前記筐体には、前記第１、第２のアームの先端部を左右方向での互いの内側から軸支す
るための左右に一対の第１、第２の突片部が形成されていて、
前記第１の突片部には、左右方向での内向きに突出するバネ保持軸が設けられ、前記バ
ネ保持軸には、一端部が前記筐体に支持されつつ他端部が前記第１のアームに支持されて
前記ドア板が前記開口を外部から閉ざす方向に付勢する捩りコイルバネのコイル部が挿入
されており、
前記筐体には、前記捩りコイルバネの前記他端部が前記第１のアームによる支持を外れ
たときに、前記バネ保持軸を中心として捩り戻る前記捩りコイルバネの前記他端部を受止
める受止め部が形成されていることを特徴とする光ディスク装置。
【請求項３】
前記第１の突片部には、左右方向での外向きに突出する第１の支軸が設けられ、この第
１の支軸に、前記第１のアームの先端部を左右方向に貫通する第１の軸受け穴が回動可能
に嵌り合い、
前記第２の突片部には、前記第１の支軸と同軸上で左右方向での外向きに突出する第２
の支軸が設けられ、この第２の支軸に、前記第２のアームの先端部を左右方向に貫通する
第２の軸受け穴が回動可能に嵌り合っていることを特徴とする請求項２に記載の光ディス
ク装置。
【請求項４】
前記第１の突片部には、左右方向での外向きに突出する第１の支軸が設けられ、この第
１の支軸に、前記第１のアームの先端部を左右方向に貫通する第１の軸受け穴が回動可能
に嵌り合い、
前記第２の突片部には、前記第１の支軸と同軸上で左右方向に貫通する第２の軸受け穴
が設けられ、この第２の軸受け穴には、前記第２のアームの先端部から左右方向での内向
きに突出する第２の支軸が回動可能に嵌り合っていることを特徴とする請求項２に記載の
光ディスク装置。
【請求項５】
前記第１の支軸と前記第１の軸受け穴との嵌り合う位置が、前記第１のアームの根元の
位置と左右方向で一致し、
前記第２の支軸と前記第２の軸受け穴との嵌り合う位置が、前記第２のアームの根元の
位置と左右方向で一致することを特徴とする請求項３又は４に記載の光ディスク装置。
【請求項６】
前記バネ保持軸が前記第１の支軸と同軸上であることを特徴とする請求項３〜５のいず
れかに記載の光ディスク装置。
【請求項７】
正面に開口を有する筐体と、この筐体内でスライド可能に支持されスライドして前記開
口より突出入するディスクトレイと、前記筐体に対し左右方向の支軸を中心に回動して前
記開口を開閉するドアと、を備え、
前記ドアは、前記開口を外部から閉ざすドア板と、このドア板の左右の各端部における
内面からそれぞれ前記筐体内へ伸び出し、各々の先端部で前記筐体に対し互いに同軸上に
軸支される左右に一対の第１、第２のアームと、より成る光ディスク装置において、
前記筐体には、前記第１、第２のアームの先端部を左右方向での互いの外側から軸支す
るための左右に一対の第１、第２の突片部が形成されていて、
前記第１の突片部には、左右方向での外向きに突出するバネ保持軸が設けられ、前記バ
ネ保持軸には、一端部が前記筐体に支持されつつ他端部が前記第１のアームに支持されて
前記ドア板が前記開口を外部から閉ざす方向に付勢する捩りコイルバネのコイル部が挿入
されており、
前記筐体には、前記捩りコイルバネの前記他端部が前記第１のアームによる支持を外れ
たときに、前記バネ保持軸を中心として捩り戻る前記捩りコイルバネの前記他端部を受止
める受止め部が形成されていることを特徴とする光ディスク装置。
【発明の詳細な説明】
【技術分野】
【０００１】
本発明は、情報記録媒体であるＣＤやＤＶＤ等の光ディスクに対して情報の再生や記録
を行うための光ディスク装置に関する。
【背景技術】
【０００２】
一般の光ディスク装置では、外形を構成する筐体内で光ディスクが回転駆動され、この
光ディスクの径方向に往復移動する光ヘッドにより、光ディスクの記録面上に情報を書き
込んだり（記録）、光ディスクの記録面上の情報を読み出したり（再生）する。
【０００３】
筐体内への光ディスクの収納にあたってはディスクトレイが用いられる。ディスクトレ
イは、筐体内で前後方向にスライド可能に支持されており、スライドすることによって、
筐体の正面に形成されたディスクトレイ突出入用の開口より突出入するようになっている
。そして、その開口より突出して筐体外部の規定位置まで引き出されたディスクトレイ上
に光ディスクが載置され、このディスクトレイが開口より進入して筐体内部の規定位置に
送り込まれることにより、光ディスクが筐体内に収納される。
【０００４】
ここでの筐体正面の開口には、左右方向の支軸を中心として回動可能にドアが取り付け
られている。このドアは、ディスクトレイが筐体内部にある状態では、筐体正面の開口を
閉じて、その開口から筐体内への塵や埃の侵入を防止する役割を果たし、一方、ディスク
トレイが筐体正面の開口より突出する際には、回動してその開口を開くものである。
【０００５】
このようなドアの取付け構造について（例えば、特許文献１、２参照）、図１５〜図１
９を参照しながら説明する。図１５は従来の光ディスク装置におけるフロントパネルを内
部から見た平面図、図１６は図１５において左右に一対のドア支持部のうちの一方である
左側のドア支持部付近を拡大して示す平面図、図１７は図１５において左右に一対のドア
支持部のうちの他方である右側のドア支持部付近を拡大して示す平面図である。図１８は
図１６のＰ−Ｐ断面図、図１９は図１７のＱ−Ｑ断面図である。なお、ここでの左右は、
説明の便宜上、フロントパネルを内部から見たときの左右である。従って、フロントパネ
ルを外部から見たときの正面視では、左右が逆向きとなる。
【０００６】
筐体の構成要素である正面のフロントパネル１０１には、左右方向に細長い矩形の開口
（ディスクトレイ突出入用の開口）１０２が形成されている。ディスクトレイ（不図示）
は、スライドすることによって、その開口１０２より筐体の外部に突出したり（図１５〜
図１７では紙面の裏側に向く方向に突出）、筐体の内部に進入したり（図１５〜図１７で
は紙面の手前側に向く方向に進入）する。
【０００７】
ドアは、大きくは、開口１０２の輪郭よりも若干大きくて、開口１０２を外部（図１５
〜図１７では紙面の裏側）から閉ざす、左右方向に細長い矩形のドア板１０３と、このド
ア板１０３の左右の各端部における内面から開口１０２を通じてそれぞれ筐体内へ伸び出
し、開口１０２の下方でのフロントパネル１０１の内面に向けて湾曲する、左右に一対の
左側のアーム１０４、右側のアーム１０５と、より構成される。ドアは、左側のアーム１
０４、右側のアーム１０５が各々の先端部でフロントパネル１０１に対し互いに同軸上に
軸支されることで回動可能になり、この回動によって、ドア板１０３が開口１０２を開閉
する。
【０００８】
ここでの左側のアーム１０４、右側のアーム１０５の軸支は、次のようにしてなされる
。フロントパネル１０１の内面には、左側のアーム１０４、右側のアーム１０５の先端部
を左右方向での互いの外側から軸支するための、左右に一対の左側の突片部１０６、右側
の突片部１０７が形成されている。つまり、左側のアーム１０４の先端部の左右方向での
外側となる左側に、左側の突片部１０６が配置され、他方、右側のアーム１０５の先端部
の左右方向での外側となる右側に、右側の突片部１０７が配置されている。
【０００９】
左側の突片部１０６には、左右方向に貫通する軸受け穴１１０が設けられ、他方、右側
の突片部１０７には、左側の突片部１０６の軸受け穴１１０と同軸上で左右方向に貫通す
る軸受け穴１１１が設けられている。そして、左側のアーム１０４の先端部には、左右方
向での外向きすなわち左向きに突出する支軸１０８が設けられ、この支軸１０８が、左側
の突片部１０６の軸受け穴１１０に回動可能に嵌り合う。他方、右側のアーム１０５の先
端部には、左右方向での外向きすなわち右向きに突出する支軸１０９が設けられ、この支
軸１０９が、右側の突片部１０７の軸受け穴１１１に回動可能に嵌り合う。こうして、左
側のアーム１０４、右側のアーム１０５がそれぞれ左側の突片部１０６、右側の突片部１
０７を介してフロントパネル１０１に対して軸支され、ドアは、ドア板１０３がフロント
パネル１０１の開口１０２を開閉するように、支軸１０８、１０９を中心として回動可能
になる。
【００１０】
但し、ここでのドアは、ドア板１０３がフロントパネル１０１の開口１０２を外部から
閉ざす方向に付勢されている。この付勢には、捩りコイルバネ１１２の捩り復元力が用い
られる。具体的には、捩りコイルバネ１１２は、金属線材より成形され、螺旋状に巻かれ
たコイル部１１２ａと、このコイル部１１２ａの両端から接線方向に伸び出す端部１１２
ｂ、１１２ｃと、より構成される。捩りコイルバネ１１２は、そのコイル部１１２ａが、
左側のアーム１０４と左側の突片部１０６との間で左側のアーム１０４からの支軸１０８
に挿入され、その一端部１１２ｂが、フロントパネル１０１に支持されつつ、その他端部
１１２ｃが、左側のアーム１０４における外向きの側面すなわち左側面から突出する引掛
け部１１５に引掛けられて支持されている。
【００１１】
このようなドアは、ディスクトレイが筐体内部にある状態では、捩りコイルバネ１１２
からの捩り復元力を受けて、ドア板１０３によりフロントパネル１０１の開口１０２を外
部から閉ざすようになる。一方、ディスクトレイがフロントパネル１０１の開口１０２よ
り突出する際には、ディスクトレイの前端部がドア板１０３に当接してそのままドア板１
０３を押圧することにより、捩りコイルバネ１１２の捩り復元力に抗しながら、支軸１０
８、１０９を中心に回動し、開口１０２を開くようになる。
【００１２】
なお、ここでの捩りコイルバネ１１２は、そのコイル部１１２ａが左側のアーム１０４
と左側の突片部１０６との間で左右方向に圧縮された状態で介在しており、左側のアーム
１０４にその圧縮に伴う反発力を与えている。従って、ここでのドアは、更に、捩りコイ
ルバネ１１２によるその反発力を受けて、全体が右向きに付勢されるとともに、右側の突
片部１０７の軸受け穴１１１を貫通した右側のアーム１０５からの支軸１０９の端面が、
右側の突片部１０７に隣接する補助突片部１１７と当接することによって、その位置が規
制（位置決め）される。
【特許文献１】特開平１０−２０８４５７号公報（第６頁、図１−図３）
【特許文献２】実用新案登録第３１０６７５６号公報
【発明の開示】
【発明が解決しようとする課題】
【００１３】
ところで、このような光ディスク装置のドアは、長期的なディスクトレイ突出入の繰返
しや、使用者からの予定しない無理な負荷によって、変形したり破損したりする場合があ
る。この場合、捩りコイルバネ１１２は、左側のアーム１０４と共に筐体内に脱落したり
、単体で筐体内に脱落したりすることがある。そして、筐体内に脱落した捩りコイルバネ
１１２は、取り除くことが困難であるばかりか、筐体内部に搭載された電子部品等に不用
意に接触して重大な故障を引き起こしかねない。
【００１４】
そこで本発明は、上記の問題に鑑みてなされたものであり、ディスクトレイ突出入用の
開口を開閉するためのドアが仮に変形したり破損したりしても、そのドアを付勢する捩り
コイルバネによって重大な故障が誘発されることのない光ディスク装置を提供することを
目的とするものである。
【課題を解決するための手段】
【００１５】
上記目的を達成するため、本発明による光ディスク装置は、正面に開口を有する筐体と
、この筐体内でスライド可能に支持されスライドして前記開口より突出入するディスクト
レイと、前記筐体に対し左右方向の支軸を中心に回動して前記開口を開閉するドアと、を
備え、前記ドアは、前記開口を外部から閉ざすドア板と、このドア板の左右の各端部にお
ける内面からそれぞれ前記筐体内へ伸び出し、各々の先端部で前記筐体に対し互いに同軸
上に軸支される左右に一対の第１、第２のアームと、より成る光ディスク装置において、
次の点を特徴とする。前記筐体には、前記第１、第２のアームの先端部を左右方向での互
いの内側から軸支するための左右に一対の第１、第２の突片部が形成されている。前記第
１の突片部には、左右方向での外向きに突出する第１の支軸、及びこの第１の支軸と同軸
上で左右方向での内向きに突出するバネ保持軸が設けられ、前記第１の支軸に、前記第１
のアームの先端部を左右方向に貫通する第１の軸受け穴が回動可能に嵌り合い、前記第２
の突片部には、前記第１の支軸と同軸上で左右方向での外向きに突出する第２の支軸が設
けられ、この第２の支軸に、前記第２のアームの先端部を左右方向に貫通する第２の軸受
け穴が回動可能に嵌り合っている。前記第１の支軸と前記第１の軸受け穴との嵌り合う位
置が、前記第１のアームの根元の位置と左右方向で一致し、前記第２の支軸と前記第２の
軸受け穴との嵌り合う位置が、前記第２のアームの根元の位置と左右方向で一致している
。前記バネ保持軸には、一端部が前記筐体に支持されつつ他端部が前記第１のアームに支
持されて前記ドア板が前記開口を外部から閉ざす方向に付勢する捩りコイルバネのコイル
部が挿入されている。そして、前記筐体には、前記捩りコイルバネの前記他端部が前記第
１のアームによる支持を外れたときに、前記バネ保持軸を中心として捩り戻る前記捩りコ
イルバネの前記他端部を受止める受止め部が形成されている。
【００１６】
このような構成にすると、仮に、ドアが変形したり破損したりして、捩りコイルバネの
他端部が第１のアームによる支持を外れたとしても、その他端部は受止め部で受止められ
、これにより、捩りコイルバネは、筐体側に保持され、脱落してしまうことはない。
【００１７】
また、上記目的を達成するための本発明による光ディスク装置は、正面に開口を有する
筐体と、この筐体内でスライド可能に支持されスライドして前記開口より突出入するディ
スクトレイと、前記筐体に対し左右方向の支軸を中心に回動して前記開口を開閉するドア
と、を備え、前記ドアは、前記開口を外部から閉ざすドア板と、このドア板の左右の各端
部における内面からそれぞれ前記筐体内へ伸び出し、各々の先端部で前記筐体に対し互い
に同軸上に軸支される左右に一対の第１、第２のアームと、より成る光ディスク装置にお
いて、次の点を特徴とする。前記筐体には、前記第１、第２のアームの先端部を左右方向
での互いの内側から軸支するための左右に一対の第１、第２の突片部が形成されている。
前記第１の突片部には、左右方向での内向きに突出するバネ保持軸が設けられ、前記バネ
保持軸には、一端部が前記筐体に支持されつつ他端部が前記第１のアームに支持されて前
記ドア板が前記開口を外部から閉ざす方向に付勢する捩りコイルバネのコイル部が挿入さ
れている。そして、前記筐体には、前記捩りコイルバネの前記他端部が前記第１のアーム
による支持を外れたときに、前記バネ保持軸を中心として捩り戻る前記捩りコイルバネの
前記他端部を受止める受止め部が形成されている。
【００１８】
このような構成にすると、仮に、ドアが変形したり破損したりして、捩りコイルバネの
他端部が第１のアームによる支持を外れたとしても、その他端部は受止め部で受止められ
、これにより、捩りコイルバネは、筐体側に保持され、脱落してしまうことはない。
【００１９】
ここで、実用性を踏まえると、前記第１の突片部には、左右方向での外向きに突出する
第１の支軸が設けられ、この第１の支軸に、前記第１のアームの先端部を左右方向に貫通
する第１の軸受け穴が回動可能に嵌り合い、前記第２の突片部には、前記第１の支軸と同
軸上で左右方向での外向きに突出する第２の支軸が設けられ、この第２の支軸に、前記第
２のアームの先端部を左右方向に貫通する第２の軸受け穴が回動可能に嵌り合っているこ
とが好ましい。これに代えて、前記第１の突片部には、左右方向での外向きに突出する第
１の支軸が設けられ、この第１の支軸に、前記第１のアームの先端部を左右方向に貫通す
る第１の軸受け穴が回動可能に嵌り合い、前記第２の突片部には、前記第１の支軸と同軸
上で左右方向に貫通する第２の軸受け穴が設けられ、この第２の軸受け穴には、前記第２
のアームの先端部から左右方向での内向きに突出する第２の支軸が回動可能に嵌り合って
いてもよい。
【００２０】
また、ドア、特に第１、第２のアームの変形や破損の防止を図る観点から、前記第１の
支軸と前記第１の軸受け穴との嵌り合う位置が、前記第１のアームの根元の位置と左右方
向で一致し、前記第２の支軸と前記第２の軸受け穴との嵌り合う位置が、前記第２のアー
ムの根元の位置と左右方向で一致することが好ましい。
【００２１】
また、捩りコイルバネによってドアを安定して付勢しながら円滑なドアの回動が安定し
て行えるように、前記バネ保持軸が前記第１の支軸と同軸上であることが好ましい。
【００２２】
また、上記目的を達成するための本発明による光ディスク装置は、前記筐体には、前記
第１、第２のアームの先端部を左右方向での互いの外側から軸支するための左右に一対の
第１、第２の突片部が形成されていて、前記第１の突片部には、左右方向での外向きに突
出するバネ保持軸が設けられ、前記バネ保持軸には、一端部が前記筐体に支持されつつ他
端部が前記第１のアームに支持されて前記ドア板が前記開口を外部から閉ざす方向に付勢
する捩りコイルバネのコイル部が挿入されており、前記筐体には、前記捩りコイルバネの
前記他端部が前記第１のアームによる支持を外れたときに、前記バネ保持軸を中心として
捩り戻る前記捩りコイルバネの前記他端部を受止める受止め部が形成されていることを特
徴とする。
【００２３】
このような構成にしても、仮に、ドアが変形したり破損したりして、捩りコイルバネの
他端部が第１のアームによる支持を外れたとしても、その他端部は受止め部で受止められ
、これにより、捩りコイルバネは、筐体側に保持され、脱落してしまうことはない。
【発明の効果】
【００２４】
本発明の光ディスク装置によれば、仮に、ドアが変形したり破損したりして、捩りコイ
ルバネの他端部が第１のアームによる支持を外れたとしても、捩りコイルバネは、筐体側
に保持され、脱落してしまうことはないため、捩りコイルバネが筐体内部に搭載された電
子部品等に接触してしまう状況は一切生じず、当然、重大な故障も発生しない。
【発明を実施するための最良の形態】
【００２５】
以下に、本発明の光ディスク装置の実施形態について、図面を参照しながら詳述する。
先ず、本発明の第１実施形態について説明する。図１は第１実施形態の光ディスク装置に
おけるフロントパネルを内部から見た平面図、図２は図１のＡ−Ａ段面図、図３は図１の
Ｂ−Ｂ断面図、図４は図１のＣ−Ｃ断面図、図５は図１のＤ−Ｄ断面図である。図６は図
１において左右に一対のドア支持部のうちの一方である左側のドア支持部付近を拡大して
示す平面図、図７は図１において左右に一対のドア支持部のうちの他方である右側のドア
支持部付近を拡大して示す平面図である。図８は図２において左側のドア支持部付近を拡
大して示す断面図、図９は図２において右側のドア支持部付近を拡大して示す断面図であ
る。図１０は図３において左側のドア支持部付近を拡大して示す断面図、図１１は図３に
おいて右側のドア支持部付近を拡大して示す断面図である。図１２は図６のＥ−Ｅ断面図
、図１３は図７のＦ−Ｆ断面図である。なお、ここでの左右は、説明の便宜上、フロント
パネルを内部から見たときの左右である。従って、フロントパネルを外部から見たときの
正面視では、左右が逆向きとなる。
【００２６】
筐体の構成要素である正面のフロントパネル１には、左右方向に細長い矩形の開口（デ
ィスクトレイ突出入用の開口）２が形成されている。ディスクトレイ２０（図４参照）は
、スライドすることによって、その開口２より筐体の外部に突出したり（図１、図６及び
図７では紙面の裏側に向く方向に突出、図２、図８及び図９では上向きに突出、図３、図
１０〜図１３では下向きに突出、図４では右向きに突出、図５では左向きに突出）、筐体
の内部に進入したり（図１、図６及び図７では紙面の手前側に向く方向に進入、図２、図
８及び図９では下向きに進入、図３、図１０〜図１３では上向きに進入、図４では左向き
に進入、図５では右向きに進入）する。
【００２７】
ドアは、大きくは、開口２の輪郭よりも若干大きくて、開口２を外部（例えば図１、図
６及び図７では紙面の裏側）から閉ざす、左右方向に細長い矩形のドア板３と、このドア
板３の左右の各端部における内面から開口２を通じてそれぞれ筐体内へ伸び出し、開口２
の下方でのフロントパネル１の内面に向けて湾曲する、左右に一対の左側のアーム４、右
側のアーム５と、より構成される。ドアは、左側のアーム４、右側のアーム５が各々の先
端部でフロントパネル１に対し互いに同軸上に軸支されることで回動可能になり、この回
動によって、ドア板３が開口２を開閉する。
【００２８】
ここでの左側のアーム４、右側のアーム５の軸支は、次のようにしてなされる。フロン
トパネル１の内面には、左側のアーム４、右側のアーム５の先端部を左右方向での互いの
内側から軸支するための、左右に一対の左側の突片部６、右側の突片部７が形成されてい
る。つまり、左側のアーム４の先端部の左右方向での内側となる右側に隣接して、左側の
突片部６が配置され、他方、右側のアーム５の先端部の左右方向での内側となる左側に隣
接して、右側の突片部７が配置されている。
【００２９】
左側の突片部６には、左右方向での外向きすなわち左向きに突出する支軸８が設けられ
、他方、右側の突片部７には、左側の突片部６からの支軸８と同軸上で左右方向での外向
きすなわち右向きに突出する支軸９が設けられている。そして、左側のアーム４の先端部
には、左右方向に貫通する軸受け穴１０が設けられ、この軸受け穴１０に、左側の突片部
６からの支軸８が回動可能に嵌り合う。他方、右側のアーム５の先端部には、左右方向に
貫通する軸受け穴１１が設けられ、この軸受け穴１１に、右側の突片部７からの支軸９が
回動可能に嵌り合う。こうして、左側のアーム４、右側のアーム５がそれぞれ左側の突片
部６、右側の突片部７を介してフロントパネル１に対して軸支され、ドアは、ドア板３が
フロントパネル１の開口２を開閉するように、支軸８、９を中心として回動可能になる。
【００３０】
但し、ここでのドアは、ドア板３がフロントパネル１の開口２を外部から閉ざす方向に
付勢されている。この付勢には、捩りコイルバネ１２の捩り復元力が用いられる。具体的
には、捩りコイルバネ１２は、金属線材より成形され、螺旋状に巻かれたコイル部１２ａ
と、このコイル部１２ａの両端から接線方向に伸び出す端部１２ｂ、１２ｃと、より構成
される。また、左側の突片部６には、支軸８と同軸上で左右方向での内向きすなわち右向
きに突出するバネ保持軸１３が設けられている。捩りコイルバネ１２は、そのコイル部１
２ａが、左側の突片部６からのバネ保持軸１３に挿入され、その一端部１２ｂが、フロン
トパネル１の内面から突出する係止め部１４に係止めされて支持されつつ、その他端部１
２ｃが、左側のアーム４における内向きの側面すなわち右側面から突出する引掛け部１５
に引掛けられて支持されている。
【００３１】
このようなドアは、ディスクトレイ２０が筐体内部にある状態では、捩りコイルバネ１
２からの捩り復元力を受けて、ドア板３によりフロントパネル１の開口２を外部から閉ざ
すようになる。一方、ディスクトレイ２０がフロントパネル１の開口２より突出する際に
は、ディスクトレイ２０の前端部がドア板３に当接してそのままドア板３を押圧すること
により、捩りコイルバネ１２の捩り復元力に抗しながら、支軸８、９を中心に回動し、開
口２を開くようになる。
【００３２】
特に本実施形態では、図１、図３、図４、図５、図６及び図１０に示すように、フロン
トパネル１の内面には、左側のアーム４の引掛け部１５に引掛けられた捩りコイルバネ１
２の他端部１２ｃがバネ保持軸１３を中心として捩り戻る方向の延長域、例えばバネ保持
軸１３の下方に、切欠突片部１６が形成されている。この切欠突片部１６は、捩りコイル
バネ１２の他端部１２ｃに向けて大きく口広がった切欠１６ａを有する。
【００３３】
このような構成の光ディスク装置によれば、仮に、ドアが変形したり破損したりして、
捩りコイルバネ１２の他端部１２ｃが左側のアーム４の引掛け部１５から外れた場合、そ
の他端部１２ｃは、バネ保持軸１３を中心として捩り戻り、そのまま切欠突片部１６の切
欠１６ａに入って受止められる。そうすると、捩りコイルバネ１２は、フロントパネル１
側に保持されることになる。つまり、仮に、捩りコイルバネ１２の他端部１２ｃが左側の
アーム４による支持を外れたとしても、その他端部１２ｃは切欠突片部１６で受止められ
、これにより、捩りコイルバネ１２は、フロントパネル１側に保持され、脱落してしまう
ことはない。従って、捩りコイルバネ１２が筐体内部に搭載された電子部品等に接触して
しまう状況は一切生じず、当然、重大な故障も発生しない。
【００３４】
もっとも、本実施形態では、左側のアーム４、右側のアーム５は共に、ドア板３の内面
から左右方向に折れ曲がることなく、真っ直ぐに伸び出して湾曲した形状となっている。
つまり、左側のドア支持部に関しては、左側の突片部６からの支軸８と左側のアーム４の
軸受け穴１０との嵌り合う位置が、左側のアーム４の根元の位置と左右方向で一致し、他
方、右側のドア支持部に関しては、右側の突片部７からの支軸９と右側のアーム５の軸受
け穴１１との嵌り合う位置が、右側のアーム５の根元の位置と左右方向で一致している。
そのため、ディスクトレイ２０がフロントパネル１の開口２より突出する際、すなわちド
ア板３がディスクトレイ２０の前端部によって押圧されて、支軸８、９を中心に回動する
際、左側のアーム４、右側のアーム５には、支軸８、９を支点とした捩れが起こり難い。
よって、ドア、特に左側のアーム４、右側のアーム５の変形や破損の防止が期待できる。
勿論これは、使用者よりドア板３に無理な力が加えられて、ドア板３が支軸８、９を中心
に回動させられる際にも、有効である。
【００３５】
次に、本発明の第２実施形態について、図１４を参照しながら説明する。図１４は第２
実施形態の光ディスク装置において左右に一対のドア支持部のうちの右側のドア支持部付
近を拡大して示す断面図である。この図１４は、上記の第１実施形態では図１３に相当す
るものである。
【００３６】
本第２実施形態の特徴は、第１実施形態における右側のドア支持部の構造を変形した点
にある。本実施形態では、右側の突片部７に、左側の突片部６からの支軸８と同軸上で左
右方向に貫通する軸受け穴１１が設けられ、右側のアーム５の先端部に、左右方向での内
向きすなわち左向きに突出する支軸９が設けられており、この支軸９が、右側の突片部７
の軸受け穴１１に回動可能に嵌り合う。このようにしても、第１実施形態と同様に、右側
のアーム５が右側の突片部７を介してフロントパネル１に対して軸支されるようになる。
【００３７】
また、本実施形態では、右側のアーム５からの支軸９と右側の突片部７の軸受け穴１１
との嵌り合う位置が、右側のアーム５の根元の位置と左右方向で一致するように、右側の
アーム５は、ドア板３の内面から一旦真っ直ぐに伸び出して湾曲するとともに、その先端
部では左右方向での外向きすなわち右向きにずれた形状となっている。そのため、第１実
施形態と同様に、ドア板３がディスクトレイ２０の前端部によって押圧されて、支軸９を
中心に回動する際、右側のアーム５には、支軸９を支点とした捩れが起こり難い。よって
、このようにしても、右側のアーム５の変形や破損の防止が期待できる。
【００３８】
その他本発明は上記の各実施形態に限定されず、本発明の趣旨を逸脱しない範囲で、種
々の変更が可能である。例えば、上記した左右のドア支持部を左右対称に反転しても構わ
ない。また、捩りコイルバネ１２によってドアを付勢しながら円滑なドアの回動が行える
限り、バネ保持軸１３が支軸８と同軸上でなく支軸８からずれて設けられてもよい。
【００３９】
また、上記の各実施形態では、左側の突片部６、右側の突片部７は、それぞれ左側のア
ーム４、右側のアーム５の先端部を、左右方向での互いの内側から軸支するようになって
いるが、これに代えて、左右方向での互いの外側から軸支するようにしても構わない。つ
まり、左側のアーム４の先端部の左右方向での外側となる左側に隣接して、左側の突片部
６が配置され、他方、右側のアーム５の先端部の左右方向での外側となる右側に隣接して
、右側の突片部７が配置されていても構わない。この場合、左側のドア支持部、右側のド
ア支持部の構成は、上記の各実施形態に対し、それぞれ左側のアーム４、右側のアーム５
を基準に左右対称に反転した構成となる。
【産業上の利用可能性】
【００４０】
本発明は、光ディスクに対して情報の再生や記録を行うための光ディスク装置に有用で
ある。
【図面の簡単な説明】
【００４１】
【図１】本発明の第１実施形態の光ディスク装置におけるフロントパネルを内部から見た平面図である。
【図２】図１のＡ−Ａ段面図である。
【図３】図１のＢ−Ｂ断面図である。
【図４】図１のＣ−Ｃ断面図である。
【図５】図１のＤ−Ｄ断面図である。
【図６】図１において左側のドア支持部付近を拡大して示す平面図である。
【図７】図１において右側のドア支持部付近を拡大して示す平面図である。
【図８】図２において左側のドア支持部付近を拡大して示す断面図である。
【図９】図２において右側のドア支持部付近を拡大して示す断面図である。
【図１０】図３において左側のドア支持部付近を拡大して示す断面図である。
【図１１】図３において右側のドア支持部付近を拡大して示す断面図である。
【図１２】図６のＥ−Ｅ断面図である。
【図１３】図７のＦ−Ｆ断面図である。
【図１４】本発明の第２実施形態の光ディスク装置において右側のドア支持部付近を拡大して示す断面図である。
【図１５】従来の光ディスク装置におけるフロントパネルを内部から見た平面図である。
【図１６】図１５において左側のドア支持部付近を拡大して示す平面図である。
【図１７】図１５において右側のドア支持部付近を拡大して示す平面図である。
【図１８】図１６のＰ−Ｐ断面図である。
【図１９】図１７のＱ−Ｑ断面図である。
【符号の説明】
【００４２】
１    フロントパネル
２    開口
３    ドア板
４    左側のアーム
５    右側のアーム
６    左側の突片部
７    右側の突片部
８    支軸
９    支軸
１０    軸受け穴
１１    軸受け穴
１２    捩りコイルバネ
１２ａ    コイル部
１２ｂ    一端部
１２ｃ    他端部
１３    バネ保持軸
１４    係止め部
１５    引掛け部
１６    切欠突片部
１６ａ    切欠
２０    ディスクトレイ
【図１】
2006351072.tif 000003
【図２】
2006351072.tif 000004
【図３】
2006351072.tif 000005
【図４】
2006351072.tif 000006
【図５】
2006351072.tif 000007
【図６】
2006351072.tif 000008
【図７】
2006351072.tif 000009
【図８】
2006351072.tif 000010
【図９】
2006351072.tif 000011
【図１０】
2006351072.tif 000012
【図１１】
2006351072.tif 000013
【図１２】
2006351072.tif 000014
【図１３】
2006351072.tif 000015
【図１４】
2006351072.tif 000016
【図１５】
2006351072.tif 000017
【図１６】
2006351072.tif 000018
【図１７】
2006351072.tif 000019
【図１８】
2006351072.tif 000020
【図１９】
2006351072.tif 000021